(57)【要約】【課題】各種の暖房器具に、着脱自在に取付けられる形態を備え、加湿器専用の加熱源を要せず、使用開始後に迅速に有効量の蒸気を発生させられ、然も、構造単純で安価に提供出来る、扇風機タイプの電気ストーブ等の、加湿器付きの暖房器具、及び加湿器を提供する。【解決手段】加湿器は、　暖房器具の比較的高温に熱せられる部位に面接触させる為の受熱面を備えた貯水タンクと、その中の蒸発用水を、毛細管作用により継続的に受熱面に補給する為に、その一端側を蒸発用水中に浸漬させ、他端側を受熱面に覆い被せた状態で配置される水吸上材と、　貯水タンクを、前記面接触状態で暖房器具に着脱自在に取付ける為の取付手段とを備えることを特徴とする。【選択図】　　　図３
0003098670.tif 000002
【実用新案登録請求の範囲】
【請求項１】
電熱ヒータが発する輻射熱を熱反射板により反射させたうえ室内に拡散させる様に構成されたものに於いて、
貯水タンクから毛細管作用により継続的に供給される蒸発用水を、熱反射板からの伝導熱により加熱する様に構成した加湿器Ａが付設されていることを特徴とする加湿器付きの電気ストーブ。
【請求項２】
前記加湿器Ａは、熱反射板５１に面接触させる受熱面１を備えた貯水タンク１０と、
貯水タンク１０内に蓄えた蒸発用水Ｗを受熱面１に補給する為に、その一端側を蒸発用水Ｗ中に浸漬させ、他端側を受熱面１に覆い被せた状態で配置される水吸上材８と、
貯水タンク１０を、前記面接触状態で、熱反射板に着脱自在に取付ける為の取付手段とを備えることを特徴とする請求項１記載の加湿器付きの電気ストーブ。
【請求項３】
暖房器具の比較的高温に熱せられる部位に面接触させる為の受熱面を備えた貯水タンクと、
貯水タンク内に蓄えた蒸発用水を、毛細管作用により継続的に受熱面に補給する為に、その一端側を蒸発用水中に浸漬させ、他端側を受熱面に覆い被せた状態で配置される水吸上材と、
貯水タンクを、前記面接触状態で、暖房器具に着脱自在に取付ける為の取付手段とを備えることを特徴とする暖房器具用の加湿器。
【考案の詳細な説明】
【０００１】
【考案の属する技術分野】
本考案は、加湿器付きの電気ストーブ、及び暖房器具用の加湿器に関する。
【０００２】
【従来の技術】
湿度の低い冬期に、室内を電気ストーブや石油ストーブ等の暖房器具で暖めると、湿度が益々下がってしまい、人の正常な整理機能に悪影響を及ぼすことになる。
そこで、　貯水タンク内の水を、電熱ヒーターで加熱して、室内に霧状に蒸散発させる様に構成した加湿器が、暖房器具とは別個の独立した商品として、従来から販売されて来た。
【０００３】
或いは、鉄板製の箱形ケーシングを備えた電気ストーブの、天板部分に、蒸発用水を注ぎ入れた金属製コップを落とし込む為の収容凹部を設けたものも、商品化されている。
【０００４】
【考案が解決しようとする課題】
然しながら、夫々独立した器具である暖房用具と、加湿器とを併設する方法は、決して安価とは言えない加湿器を、暖房器具とは別個に購入しなければならず、然も、２つの器具の夫々の設置スペースと電源配線が必要になって使い勝手が悪く、更には、余分の電力や、加湿器の製作用資材を浪費し、その上、廃棄後の処分の手間が加重する等の少なからぬ難点があった。
【０００５】
そして、電気ストーブの天板部分に、蒸発用水を入れた金属コップを嵌め込む方法は、その構造からして、水蒸気を十分に発散させ得る程の熱量を供給し難いうえに、コップ内の水全体が暖まって、有効量の蒸気が発生し始める迄に、かなりの待ち時間を要する。
電源スイッチを投入しても、直ぐには蒸発が始まらない点は、上記の既存の加湿器に就いても同様である。
【０００６】
そこで、本考案の目的は、各種の暖房器具に、その付属品として取付けられる形態を備えていて、加湿器専用の加熱源が不要であり、使用開始後に迅速に有効量の蒸気を発生させることが出来、然も、構造が単純で安価に提供出来る、加湿器付きの電気ストーブ及び暖房器具用の加湿器を提供するにある。
【０００７】
【課題を解決するための手段】
上記の目的を達成する為の、本考案による加湿器付きの電気ストーブは、
電熱ヒータが発する輻射熱を熱反射板により反射させたうえ室内に拡散させる様に構成されたものに於いて、
貯水タンクから毛細管作用により継続的に供給される蒸発用水を、熱反射板からの伝導熱により加熱する様に構成した加湿器Ａが付設されていることを特徴とする。
そして、加湿器Ａは、
熱反射板５１に面接触させる受熱面１を備えた貯水タンク１０と、
貯水タンク１０内に蓄えた蒸発用水Ｗを受熱面１に補給する為に、その一端側を蒸発用水Ｗ中に浸漬させ、他端側を受熱面１に覆い被せた状態で配置される水吸上材８と、
貯水タンク１０を、前記面接触状態で、熱反射板に着脱自在に取付ける為の取付手段とを備えることを特徴とする。
【０００８】
本考案による暖房器具用の加湿器は、
暖房器具の比較的高温に熱せられる部位に面接触させる為の受熱面を備えた貯水タンクと、
貯水タンク内に蓄えた蒸発用水を、毛細管作用により継続的に受熱面に補給する為に、その一端側を蒸発用水中に浸漬させ、他端側を受熱面に覆い被せた状態で配置される水吸上材と、
貯水タンクを、前記面接触状態で、暖房器具に着脱自在に取り付ける為の取付手段とを備えることを特徴とする。
【０００９】
【考案の実施の形態】
以下に、本考案の一実施例に就いて、図面を参照しながら説明する。
この実施例の電気ストーブＢは、図１に側面図として示し、図２に部分背面図として示した様に、扇風機タイプのもので、送風用のファン（図示略）が組込まれている。
そして、電気ストーブＢの、パラボラ形の熱反射板５１の背面側上部には、本考案による加湿器Ａが、着脱自在に取付けられている。
【００１０】
電気ストーブＢは、その操作部を内蔵する台部５２に、伸縮自在のポール５３を立設し、その上端に、扇風機タイプのストーブ本体５０を、上下・左右に首振り自在に取付けた、周知の構造を備えている。
【００１１】
次に、加湿器Ａの具体的な構造に就いて、図３及び図４を参照しながら、順次説明する。
加湿器Ａは、図３に示した様に、蒸発用水Ｗを貯留する貯水タンク１０を、その本体としている。
【００１２】
貯水タンク１０は、ストーブ本体５０のパラボラ形の熱反射板５１の球面状に湾曲した背面に、密着状態で面接触させ得る曲面に形成された、平面視ほぼ矩形状の受熱板１（受熱面）と、タンクの形にプレス成形されたタンク形成板２との、夫々の周縁部を互いに水密に接合させた構成を備えている。
熱反射板５１の高温の保有熱が伝導される受熱板１は、良好な熱伝導度と耐蝕性を併せ備えた、例えば、ステンレススチール製にするとよい。
【００１３】
貯水タンク１０は、図３，図４に示した様に、その下半側部分の水平方向の厚みを増して、この部分を貯水部１０Ａとしている。
貯水部１０Ａの平坦な頂面には、蓋４付きの注水口３を設けている。
貯水タンク１０の上半側部分の厚みは、加湿器Ａが必要以上に嵩張らない様にに薄くして、この部分を蒸気発生部１０Ｂとしている。
そして、タンク形成板２には、蒸気発生部１０Ｂとなる部分の前面に、多数の蒸気放出孔５を散在させている。
【００１４】
尚、貯水タンク１０の形状は図示に限らず、美観等を考慮に入れて適宜にデザインすればよい。
タンク形成板２は、その素材として耐熱性透明プラスチック等を用いれば、タンク内の蒸発用水Ｗの残存量を確認し易い。
或いは、貯水部１０Ａの外壁面に、温度の上下に伴って色相が変化するシート状の温度センサを貼着させる等してもよい。
【００１５】
蒸気発生部１０Ｂの上端には、図３に示した様に、加湿器Ａを、その受熱板１が熱反射板５１の背面に密着した状態で着脱自在に取付ける為の、摘み付きの固定用ボルト６（固定手段）を螺じ込ませる螺孔を設けている。
一方、熱反射板５１の背面の上方個所には、固定用ボルト６を螺じ込ませる為のナット７を溶接等により固着させている。
【００１６】
受熱板１の表側面には、そのほぼ全面にわたって、マット状乃至はシート状の水吸上材８を添着させている。
水吸上材８としては、多孔質で毛細管作用を有する、例えば、不織布、織布、スポンジ板等を使用する。
【００１７】
水吸上材８の役割は、その毛細管作用によって、貯水部１０Ａ内に蓄えられた蒸発用水Ｗを吸い上げて、蒸発用水Ｗの水面上に突出させた、受熱板１の上方部分の表面に適量の水を継続的に補給するところにある。
尚、図３中に仮想線で示した９は、安全用の遮熱カバーで、高温に熱される熱反射板５１の背後に覆い被せてある。
【００１８】
次に、加湿器Ａを付属させた電気ストーブＢの使い方に就いて、各図面を参照しながら説明する。
室内を加湿する必要のない時には、加湿器Ａは、その固定用ボルト６を緩めることによって、電気ストーブＢから簡単に取り外せる。
勿論、取付けたままにして置いてもよい。
【００１９】
室内を加湿したい時には、貯水部１０Ａの頂面に設けてある蓋４を一旦取り外して、その内部に蒸発用水Ｗを満たすだけで、水蒸気を発生させる為の準備は整う。
【００２０】
そこで、電気ストーブＢの電源スイッチ（図示略）を投入すると、電熱ヒーターが発する輻射熱によって、熱反射板５１は急速に１００℃以上に昇温する。
その為、図３に示した様に、この熱反射板５１に密着状態で面接触している、金属製の受熱板１も、蒸気発生部１０Ｂ内に位置して、水面上に突出している伝熱部位が、急速に１００℃以上に加熱される。
【００２１】
この加熱された伝熱部位には、既述の様に、貯水部１０Ａの蒸発用水Ｗを吸い上げて濡れた状態の水吸上材８が覆い被さっている。
水吸上材８の吸蔵水量は、貯水部１０Ａ内に蓄えられた蒸発用水Ｗに比べれば極くわずかなので、この吸蔵水は急速に沸点温度に迄上昇し、盛んに蒸発し始める。
【００２２】
この様に、本考案の加湿器Ａは、在来の加湿器とは異なって、貯水部１０Ａ内の多量の蒸発用水Ｗを直接加熱するのではなくて、水吸上材８が、その毛細管作用により貯水部１０Ａから少量ずつ吸い上げた水を、１００℃以上に熱された受熱板１の伝熱部位に供給する様にしている。
【００２３】
その為、電気ストーブＢの使用開始後、極く短時間で、必要量の水蒸気が盛んに蒸発し始める。
蒸発した水蒸気は、ストーブ本体５０内に組込まれたファンが生じさせた気流に乗って室内に拡散される。
そして、水吸上材８の吸蔵水が蒸散するに連れて、貯水部１０Ａ内の蒸発用水が、水吸上材８の毛細管作用により、受熱板１の伝熱部位に向けて継続的に補給される。
【００２４】
上記実施例では、扇風機タイプの電気ストーブＢに、本考案による加湿器Ａを付属させた場合に就いて説明した。
然し、本考案による加湿器Ａは、扇風機タイプの電気ストーブＢに限られず、ボックス形のケーシングを備えた極く普通のタイプの電気ストーブや、更には、石油ストーブ等の、床面に据え置くタイプの様々な種類の暖房器具に取付けることが出来る。
【００２５】
但し、その場合には、夫々の種類の暖房器具の、熱反射板の形態や取付状態が、扇風機タイプの電気ストーブＢとは相異するので、それに対応させるべく、加湿器Ａの基本的な構成要素はそのままにしたうえで、細部に就いて、幾分設計変更する必要が生ずる。
【００２６】
上記の基本的な構成要素とは、暖房器具の比較的高温に熱せられる部位に当接させる受熱面を備えた貯水タンクと、
その貯留水を受熱面に補給する為に、その一端側を貯水部内の蒸発用水に浸漬させ、他端側は受熱面に覆い被せた状態で配置される水吸上材と、
貯水タンクを、暖房器具に着脱自在に取付ける為の取付手段とである。
【００２７】
そして、細部の設計変更とは、例えば、暖房器具の比較的高温に熱せられる部位が、パラボラ形の熱反射板ではなくて、円筒形の熱反射板であったり、暖房器具の箱形ケーシングの壁面等であれば、受熱面（即ち、受熱板１）を、パラボラ曲面ではなくて、円筒面や平坦面に形成することになる。
又、暖房器具への貯水タンクの取付手段も、取付場所の状態に応じて、螺止したり、掛金具を用いる等、周知の様々な取付方法の中から適宜に選んで利用すればよい。
【００２８】
【考案の効果】
以上の説明によって明らかな様に、本考案による加湿器、及びこの加湿器を付属させた、電熱式その他の暖房器具は、以下に列挙した如き実用上の優れた諸効果を奏する。
（ａ）既存の、暖房器具とは別個に設置する加湿器とは異なって、暖房器具に着脱自在に取付けられるので、設置スペース、設置の手間等の点で、使い勝手が遙かに優れている。
（ｂ）蒸発用水の加熱専用のヒーターを要せず、暖房器具が発生させた余剰熱を利用出来る。
（ｃ）加湿器は、構造が至極単純で、コンパクトな形態にまとめられる。
（ｄ）その為、既存の独立型の加湿器に比べて、遙かに安価に提供出来る。
（ｅ）又、廃棄物となった後の、処分問題も軽減出来る。
（ｆ）加湿器は、受熱面の形状や、暖房器具への取付手段を、幾分設計変更するだけで、扇風機タイプの電気ストーブに限られず、ボックス形のケーシングを備えた極く普通の電気ストーブや、更には、石油ストーブ等、殆どあらゆる種類の暖房器具に取付けられる。
【図面の簡単な説明】
【図１】本考案を、扇風機タイプの電気ストーブに適用した一実施例を示すもので、加湿器を取付けた電気ストーブの側面図である。
【図２】同上、図１の部分背面図である。
【図３】同上、電気ストーブに取付済みの加湿器の縦断面図である。
【図４】同上、加湿器の斜視図である。
【符号の説明】
Ａ　加湿器
Ｂ　電気ストーブ
１　受熱板（受熱面）
２　タンク形成板
３　注水口
４　蓋
５　蒸気放出孔
６　固定用ボルト（固定手段）
７　ナット（固定手段）
８　水吸上材
９　遮熱カバー
１０　貯水タンク
１０Ａ　貯水部
１０Ｂ　蒸気発生部
５０　ストーブ本体
５１　熱反射板
５２　台部
５３　ポール
Ｗ　蒸発用水
【図１】
0003098670.tif 000003
【図２】
0003098670.tif 000004
【図３】
0003098670.tif 000005
【図４】
0003098670.tif 000006